(57)【要約】【課題】  計量機器の設置場所においてその計量機器による生産履歴を確認することができる計量機器用情報処理装置を提供する。【解決手段】  本発明の計量機器用情報処理装置１Ａは、品種情報と、１回の計量動作によって得られる個別計量情報が所定の記録集計期間ごとに集計されてなる記録計量情報と、記録集計期間特定情報とを含む生産記録情報を作成する生産記録情報作成手段と、生産記録情報を生産記録情報履歴として記憶する生産履歴記憶手段と、表示対象とする品種と表示対象期間とを指定する表示指定手段と、指定された表示対象期間が複数に分割されてなる各々の表示集計期間内における全ての記録計量情報のうち指定された品種に対応する記録計量情報を生産履歴情報履歴の中から選択して集計することにより、各々の表示集計期間に対応する表示計量情報を作成する表示計量情報演算手段と、表示計量情報を画面に表示する表示手段とを備えている。【選択図】  図１
2010043974.tif 000002
【特許請求の範囲】
【請求項１】
被計量物の重量値を計量する計量動作を繰り返し行う計量機器の動作を規定するために複数の動作条件設定項目の値からなる動作条件設定情報を設定する計量機器用情報処理装置であって、
被計量物の品種を示す品種情報と、１回の計量動作によって得られる被計量物の重量値である個別計量情報が被計量物の品種が同一である期間からなる所定の記録集計期間ごとに集計された情報である記録計量情報と、前記記録集計期間を特定するための時刻情報からなる記録集計期間特定情報とを含む生産記録情報を作成する生産記録情報作成手段と、
前記生産記録情報作成手段により前記生産記録情報が作成されるたびに、前記生産記録情報を生産記録情報履歴として記憶する生産履歴記憶手段と、
表示対象とする被計量物の品種と表示対象期間とを指定する表示指定手段と、
前記指定された表示対象期間が複数に分割されてなり、かつ１または複数の前記記録集計期間からなる各々の表示集計期間内における全ての前記記録計量情報のうち前記指定された品種に対応する記録計量情報を前記生産履歴情報履歴の中から選択して集計することにより、各々の前記表示集計期間に対応する表示計量情報を作成する表示計量情報演算手段と、
各々の前記表示集計期間に対応させて前記表示計量情報を画面に表示する表示手段とを備えた計量機器用情報処理装置。
【請求項２】
前記生産記録情報は、前記記録集計期間内における個別計量情報の最大値と最小値と標準偏差とを含む請求項１に記載の計量機器用情報処理装置。
【請求項３】
前記品種情報は、品種別に付された品種番号と品種名とからなる請求項１に記載の計量機器用情報処理装置。
【請求項４】
前記品種情報は品種別に付された品種番号を含み、
前記表示指定手段は、品種番号を用いて前記表示対象とする被計量物の品種を指定するように構成された請求項１に記載の計量機器用情報処理装置。
【請求項５】
前記記録集計期間は、所定の時間間隔で区切られた期間である請求項１に記載の計量機器用情報処理装置。
【請求項６】
前記記録集計期間特定情報は、前記記録集計期間の開始時の年月日及び時刻と、前記記録集計期間の終了時の年月日及び時刻とからなる情報である請求項１に記載の計量機器用情報処理装置。
【請求項７】
前記記録集計期間特定情報は、前記記録集計期間の開始時の年月日、曜日及び時刻と、前記記録集計期間の終了時の年月日、曜日及び時刻とからなる情報である請求項１に記載の計量機器用情報処理装置。
【請求項８】
前記表示指定手段は、年、年月または年月日によって、前記表示対象期間を指定することができるように構成された請求項１に記載の計量機器用情報処理装置。
【請求項９】
前記表示指定手段は、年または年月と、曜日とによって、前記表示対象期間を指定することができるように構成された請求項１に記載の計量機器用情報処理装置。
【請求項１０】
前記表示指定手段は、前記表示対象期間の最初の年、年月または年月日と、前記表示対象期間の最後の年、年月または年月日とによって、前記表示対象期間を指定することができるように構成された請求項１に記載の計量機器用情報処理装置。
【請求項１１】
前記表示指定手段は、前記表示対象期間の最初の年または年月と、前記表示対象期間の最後の年または年月と、曜日とによって、前記表示対象期間を指定することができるように構成された請求項１に記載の計量機器用情報処理装置。
【請求項１２】
前記表示指定手段は、年、年月または年月日と、時間帯とによって、前記表示対象期間を指定することができるように構成された請求項１に記載の計量機器用情報処理装置。
【請求項１３】
前記表示指定手段は、前記表示対象期間の最初の年、年月または年月日と、前記表示対象期間の最後の年、年月または年月日と、時間帯とによって、前記表示対象期間を指定することができるように構成された請求項１に記載の計量機器用情報処理装置。
【請求項１４】
前記表示対象期間を指定するために用いる前記時間帯は、予め定められた複数の時間帯のうちの１つである請求項１２または１３に記載の計量機器用情報処理装置。
【請求項１５】
操作者を特定するための情報である操作者情報を入力する操作者情報入力手段が設けられ、
前記生産記録情報作成手段は、前記操作者情報を含めて前記生産記録情報を作成するように構成され、
前記表示指定手段は、表示対象とする被計量物の品種と前記表示対象期間とに加えて操作者を指定することができるように構成され、
前記表示計量情報演算手段は、前記表示指定手段により被計量物の品種と前記表示対象期間と操作者とが指定されたときには、各々の前記表示集計期間内における複数の前記記録計量情報のうち指定された品種と操作者とに対応する記録計量情報を前記生産履歴情報履歴の中から選択して集計することにより、各々の前記表示集計期間に対応する表示計量情報を作成するように構成された請求項１に記載の計量機器用情報処理装置。
【請求項１６】
ログイン処理を行い、このログイン処理により予め定められた操作者であることを認識するログイン手段が設けられ、
前記生産記録情報作成手段は、前記ログイン手段により認識された操作者を特定するための情報である操作者情報を含めて前記生産記録情報を作成するように構成され、
前記表示指定手段は、表示対象とする被計量物の品種と前記表示対象期間とに加えて操作者を指定することができるように構成され、
前記表示計量情報演算手段は、前記表示指定手段により被計量物の品種と前記表示対象期間と操作者とが指定されたときには、各々の前記表示集計期間内における複数の前記記録計量情報のうち指定された品種と操作者とに対応する記録計量情報を前記生産履歴情報履歴の中から選択して集計することにより、各々の前記表示集計期間に対応する表示計量情報を作成するように構成された請求項１に記載の計量機器用情報処理装置。
【発明の詳細な説明】
【技術分野】
【０００１】
本発明は、組合せ秤や重量式選別機などの被計量物の重量を計量する計量機器に用いられる計量機器用情報処理装置に関する。
【背景技術】
【０００２】
生産ライン上に設置された組合せ秤や重量式選別機などの計量機器には、その計量機器の操作などを行うための操作パネルが備えられている。計量機器は、運転のために複数の動作条件の設定が必要であり、常に同一の設定で運転されるわけではない。通常、組合せ秤は包装機に連結され、組合せ秤で計量された被計量物が包装機に投入され、包装される。計量された被計量物もしくは包装物の内容量は常に一定ではなく変更される。また、数時間単位で被計量物の品種を変更して計量をおこなうこともある。重量式選別機は、生産ラインの最終段階において、計量、梱包された被計量物の重量が所定重量範囲内であるか否かをチェックするものであり、いろいろな種類の被計量物を計量しなければならない。
【０００３】
このような計量機器では、操作パネルを用いて必要に応じて動作条件の設定及び変更を行っている。例えば、特許文献１に開示された構成では、組合せ秤の操作パネルの画面に、複数の計量ホッパの情報をその配置に対応した順序で表示し、操作しやすいようにしている。また、特許文献２に開示された構成では、操作パネルの画面に、各計量ユニットの動作状況をリアルタイムに示す動画像を表示するとともに、複数の計量ユニットの動作パラメータに関する情報を計量ユニットの配置に対応した並びでグラフィック表示し、組合せ秤の状態を把握しやすいようにしている。ここで、計量ユニットとは、それぞれ対応して設けられているリニアフィーダと供給ホッパと計量ホッパとで構成されるユニットである。
【０００４】
また、計量機器の操作パネルの画面には、現在計量された重量値などの計量情報も表示される。
【特許文献１】特開２００２−２０６９６３号公報
【特許文献２】特開２００５−１２１５１２号公報
【発明の開示】
【発明が解決しようとする課題】
【０００５】
従来の計量機器の操作等を行うための操作パネルを有する計量機器用情報処理装置では、例えば、１日あるいは１週間ごとに、計量情報を印字出力した後、あるいは計量情報を外部のパソコン等へ記憶させた後は、過去の計量情報を履歴として記憶していない。そのため、どの品種をいつどれだけ生産（計量）したかなどの生産履歴を知りたい場合には、例えば計量機器の設置された作業場から離れた場所に置いてある前述のパソコンなどに記憶させた情報を見なければならず、計量機器が設置された作業場等で容易に確認することができない場合があった。
【０００６】
本発明は上記のような課題を解決するためになされたもので、計量機器の設置場所においてその計量機器による生産履歴を確認することができる計量機器用情報処理装置を提供することを目的としている。
【課題を解決するための手段】
【０００７】
上記目的を達成するために、本発明の計量機器用情報処理装置は、被計量物の重量値を計量する計量動作を繰り返し行う計量機器の動作を規定するために複数の動作条件設定項目の値からなる動作条件設定情報を設定する計量機器用情報処理装置であって、被計量物の品種を示す品種情報と、１回の計量動作によって得られる被計量物の重量値である個別計量情報が被計量物の品種が同一である期間からなる所定の記録集計期間ごとに集計された情報である記録計量情報と、前記記録集計期間を特定するための時刻情報からなる記録集計期間特定情報とを含む生産記録情報を作成する生産記録情報作成手段と、前記生産記録情報作成手段により前記生産記録情報が作成されるたびに、前記生産記録情報を生産記録情報履歴として記憶する生産履歴記憶手段と、表示対象とする被計量物の品種と表示対象期間とを指定する表示指定手段と、前記指定された表示対象期間が複数に分割されてなり、かつ１または複数の前記記録集計期間からなる各々の表示集計期間内における全ての前記記録計量情報のうち前記指定された品種に対応する記録計量情報を前記生産履歴情報履歴の中から選択して集計することにより、各々の前記表示集計期間に対応する表示計量情報を作成する表示計量情報演算手段と、各々の前記表示集計期間に対応させて前記表示計量情報を画面に表示する表示手段とを備えている。
【０００８】
この構成によれば、個別計量情報が集計された記録計量情報と記録集計期間特定情報とを含む生産記録情報を、記録集計期間ごとに作成し、生産記録情報履歴として記憶しておき、表示指定手段によって表示対象とする被計量物の品種と表示対象期間とを指定することにより、表示対象期間が複数に分割されてなる各々の表示集計期間に対応させて、指定された品種に対応する記録計量情報を集計した表示計量情報を画面に表示させることができる。その結果、どの品種をいつどれだけ生産（計量）したかなどの生産履歴を表示させることができ、計量機器の設置場所においてその計量機器による生産履歴を確認することができる。
【０００９】
なお、記録集計期間特定情報を構成する時刻情報は、年月日及び時刻を示す情報であり、さらに曜日を示す情報を含んでもよい。また、例えば、記録集計期間を１時間ごとに設定した場合に、表示対象期間として、ある１年間を指定すれば、表示集計期間が１か月ごとに設定され、この場合、表示集計期間は複数の記録集計期間からなる。また、例えば、記録集計期間を１時間ごとに設定した場合に、表示対象期間として、ある１か月を指定すれば、表示集計期間が１日ごとに設定され、この場合、表示集計期間は複数の記録集計期間からなる。また、例えば、記録集計期間を１時間ごとに設定した場合に、表示対象期間として、ある１日を指定すれば、表示集計期間が１時間ごとに設定され、この場合、表示集計期間は１つの記録集計期間からなる。
【００１０】
また、前記生産記録情報は、前記記録集計期間内における個別計量情報の最大値と最小値と標準偏差とを含んでもよい。この場合、各表示集計期間において、個別計量情報の最大値と最小値と標準偏差とを求めて表示させるようにしてもよい。
【００１１】
また、前記品種情報は、品種別に付された品種番号と品種名とからなってもよい。
【００１２】
また、前記品種情報は品種別に付された品種番号を含み、前記表示指定手段は、品種番号を用いて前記表示対象とする被計量物の品種を指定するように構成されていてもよい。
【００１３】
また、前記記録集計期間は、所定の時間間隔で区切られた期間であってもよい。例えば、所定の時間間隔を１時間としてもよい。
【００１４】
また、前記記録集計期間特定情報は、前記記録集計期間の開始時の年月日及び時刻と、前記記録集計期間の終了時の年月日及び時刻とからなる情報であってもよい。
【００１５】
また、前記記録集計期間特定情報は、前記記録集計期間の開始時の年月日、曜日及び時刻と、前記記録集計期間の終了時の年月日、曜日及び時刻とからなる情報であってもよい。
【００１６】
また、前記表示指定手段は、年、年月または年月日によって、前記表示対象期間を指定することができるように構成されていてもよい。
【００１７】
また、前記表示指定手段は、年または年月と、曜日とによって、前記表示対象期間を指定することができるように構成されていてもよい。ここで、曜日を指定すれば、指定された曜日における指定品種の記録計量情報が集計されて表示される。
【００１８】
また、前記表示指定手段は、前記表示対象期間の最初の年、年月または年月日と、前記表示対象期間の最後の年、年月または年月日とによって、前記表示対象期間を指定することができるように構成されていてもよい。
【００１９】
また、前記表示指定手段は、前記表示対象期間の最初の年または年月と、前記表示対象期間の最後の年または年月と、曜日とによって、前記表示対象期間を指定することができるように構成されていてもよい。ここで、曜日を指定すれば、指定された曜日における指定品種の記録計量情報が集計されて表示される。
【００２０】
また、前記表示指定手段は、年、年月または年月日と、時間帯とによって、前記表示対象期間を指定することができるように構成されていてもよい。例えば、１日のうちのある時間帯を指定することにより、その時間帯における生産量を表示することができる。また、年月日と時間帯とを指定することにより、その時間帯の生産量を例えば１時間単位で表示するように構成できる。
【００２１】
また、前記表示指定手段は、前記表示対象期間の最初の年、年月または年月日と、前記表示対象期間の最後の年、年月または年月日と、時間帯とによって、前記表示対象期間を指定することができるように構成されていてもよい。例えば、１日のうちのある時間帯を指定することにより、その時間帯における生産量を表示することができる。
【００２２】
また、前記表示対象期間を指定するために用いる前記時間帯は、予め定められた複数の時間帯のうちの１つであってもよい。
【００２３】
この場合、例えば１日が複数の時間帯に分割され、複数の操作者が時間帯別に交代勤務を行っており、各時間帯が各操作者と対応していれば、指定した時間帯における生産量を、その時間帯に勤務している操作者の能力査定の目安にすることができる。
【００２４】
また、操作者を特定するための情報である操作者情報を入力する操作者情報入力手段が設けられ、前記生産記録情報作成手段は、前記操作者情報を含めて前記生産記録情報を作成するように構成され、前記表示指定手段は、表示対象とする被計量物の品種と前記表示対象期間とに加えて操作者を指定することができるように構成され、前記表示計量情報演算手段は、前記表示指定手段により被計量物の品種と前記表示対象期間と操作者とが指定されたときには、各々の前記表示集計期間内における複数の前記記録計量情報のうち指定された品種と操作者とに対応する記録計量情報を前記生産履歴情報履歴の中から選択して集計することにより、各々の前記表示集計期間に対応する表示計量情報を作成するように構成されていてもよい。
【００２５】
この構成によれば、表示指定手段により操作者を指定することにより、その操作者が勤務しているときの生産量を表示することができ、その生産量を操作者の能力査定の目安にすることができる。
【００２６】
また、ログイン処理を行い、このログイン処理により予め定められた操作者であることを認識するログイン手段が設けられ、前記生産記録情報作成手段は、前記ログイン手段により認識された操作者を特定するための情報である操作者情報を含めて前記生産記録情報を作成するように構成され、前記表示指定手段は、表示対象とする被計量物の品種と前記表示対象期間とに加えて操作者を指定することができるように構成され、前記表示計量情報演算手段は、前記表示指定手段により被計量物の品種と前記表示対象期間と操作者とが指定されたときには、各々の前記表示集計期間内における複数の前記記録計量情報のうち指定された品種と操作者とに対応する記録計量情報を前記生産履歴情報履歴の中から選択して集計することにより、各々の前記表示集計期間に対応する表示計量情報を作成するように構成されていてもよい。
【００２７】
この構成によれば、表示指定手段により操作者を指定することにより、その操作者が勤務しているときの生産量を表示することができ、その生産量を操作者の能力査定の目安にすることができる。
【発明の効果】
【００２８】
本発明は、以上に説明した構成を有し、計量機器の設置場所においてその計量機器による生産履歴を確認することができる計量機器用情報処理装置を提供することができるという効果を奏する。
【発明を実施するための最良の形態】
【００２９】
以下、本発明の好ましい実施の形態を、図面を参照しながら説明する。
【００３０】
図１は、本発明の実施の形態の計量機器用情報処理装置の構成を示すブロック図である。
【００３１】
この計量機器は、情報処理装置１Ａ（計量機器用情報処理装置）と計量機器本体部１Ｂとによって構成され、情報処理装置１Ａは計量機器本体部１Ｂの動作を制御する制御装置でもある。
【００３２】
情報処理装置１Ａは、例えば液晶表示装置からなる表示部２と、例えば液晶表示装置（表示部２）の液晶パネル上に取り付けられたタッチパネルからなる入力部３と、時計部４と、中央演算処理装置からなるＣＰＵ部５と、ＲＡＭ及び不揮発性メモリを有する記憶部６と、計量機器本体部１Ｂとのインターフェイス部７と、印字装置９と接続されるＩ／Ｏ回路８と、外部の情報処理装置であるパソコン等の外部装置１１とデータの送受信を行う通信回路部１０とを備えている。記憶部６内の不揮発性メモリには、ＣＰＵ部５の実行プログラムが予め記憶されており、また、後述する生産履歴データ等も記憶される。時計部４は、例えばＲＴＣ（リアルタイムクロック）によって構成され、年月日、曜日及び時刻のデータをＣＰＵ部５へ提供する。本実施の形態では、表示部２と入力部３とはタッチパネルディスプレイによって構成されている。
【００３３】
例えば、印字出力の指示が入力部３から入力された場合、ＣＰＵ部５は、Ｉ／Ｏ回路８を介して印字すべきデータを印字装置９へ出力し、印字装置９に印字させることが可能である。また、ＣＰＵ部５は、通信回路部１０を介して、外部装置１１、例えばパソコン等とデータの送受信を行なうことが可能である。
【００３４】
本実施の形態における情報処理装置１Ａは、先に述べた生産記録情報作成手段、生産履歴記憶手段、表示計量情報演算手段、表示手段、表示指定手段及びログイン手段等として機能する。また、先に述べた操作者情報入力手段としても機能するようにしてもよい。
【００３５】
また、情報処理装置１Ａは、計量機器本体部１Ｂの動作を規定するための動作条件を設定するために用いられ、さらに、設定された動作条件に基づいて計量機器本体部１Ｂの動作の制御を行う。
【００３６】
計量機器では、計量機器本体部１Ｂにおいて被計量物の重量を計量し、その計量値は情報処理装置１Ａへ送られる。また、この計量機器は、例えば包装機等とともに生産ラインを構成する装置のうちの１つの装置であり、順次、被計量物の重量を計量し、その都度、計量値（個別計量情報）は情報処理装置１Ａへ送られ、情報処理装置１Ａに一時記憶される。
【００３７】
図２は、本実施の形態における計量機器の一例である組合せ秤を示す図である。
【００３８】
この組合せ秤の計量機器本体部１Ｂは、その装置上部の中央に、被計量物を振動によって放射状に分散させる円錐形の分散フィーダ５１が設けられている。分散フィーダ５１では、図示されない供給装置からその中央部に供給される被計量物を振動によってその周縁部方向へ送り出す。分散フィーダ５１の周囲には、分散フィーダ５１から送られてきた被計量物を振動によって各供給ホッパ５３に送りこむための複数のリニアフィーダ５２が放射状に設けられている。各リニアフィーダ５２の下方には、供給ホッパ５３及び計量ホッパ５４がそれぞれ対応して設けられている。これらの複数の供給ホッパ５３及び計量ホッパ５４はそれぞれ円状に配設されている。供給ホッパ５３はリニアフィーダ５２から送りこまれた被計量物を受け取り、その下方に配置された計量ホッパ５４が空になるとゲートを開いて計量ホッパ５４へ被計量物を投入する。また、各計量ホッパ５４には、計量ホッパ５４内の被計量物の重量を計測するロードセル等の重量センサ５５が取り付けられ、各重量センサ５５による計測値は情報処理装置１Ａへ出力される。円状に列設された計量ホッパ５４の下方には集合シュート５６が設けられ、集合シュート５６の下部には集合ファンネル５７が配設されている。この組合せ秤の集合ファンネル５７の下方には、例えば包装機（図示せず）が配置され、集合ファンネル５７から排出される被計量物は包装機へ投入されて袋詰めされる。
【００３９】
情報処理装置１Ａでは、計量機器本体部１Ｂの動作制御を行うとともに、被計量物を排出すべき計量ホッパ５４の組合せを求める組合せ処理を行う。この組合せ処理では、各計量ホッパ５４の計量値（重量センサ５５により計測された計量ホッパ５４内の被計量物の重量値）に基づいて組合せ演算を行い、複数の計量ホッパ５４の中から、計量値の合計が目標重量に対して許容範囲内の値であり、かつ、目標重量との差の絶対値が最小となる計量ホッパ５４の組合せを１つ選択し、被計量物を排出すべき組合せとする。
【００４０】
また、情報処理装置１Ａでは、表示部２の画面に、各回の組合せ計量結果及び組合せ計量結果の集計の表示を行うことも可能である。
【００４１】
以上のように構成された組合せ秤の動作について、その概略を説明する。
【００４２】
まず、被計量物は、図示されない供給装置によって組合せ秤の上方に搬送されてきて、分散フィーダ５１上に載せられる。そして、分散フィーダ５１の振動によって放射状に分散されて、分散フィーダ５１に続くリニアフィーダ５２を介して供給ホッパ５３に被計量物が送られる。各供給ホッパ５３の下方に位置する計量ホッパ５４が空の場合に、各供給ホッパ５３の被計量物が計量ホッパ５４に投入される。情報処理装置１Ａは、前述の組合せ処理を行い、被計量物を排出すべき組合せに該当する計量ホッパ５４に被計量物を排出させる。計量ホッパ５４から排出された被計量物は集合シュート５６上を滑り落ち、集合ファンネル５７を介して包装機へ排出される。以上の動作が繰り返し行われる。
【００４３】
組合せ秤では、上記のような動作を行うために多数の動作条件設定項目の値の設定が必要であり、情報処理装置１Ａを用いて設定され、設定された動作条件設定項目の値は記憶部６に記憶されている。
【００４４】
このような組合せ秤の動作条件の主な設定項目としては、目標重量、上限許容重量、速度（計量速度）、分散フィーダ強度、リニアフィーダ強度、供給ホッパ開時間、計量ホッパ開時間などがある。
【００４５】
上記の各設定項目について簡単に説明する。目標重量は、排出すべき目標とする重量であり、上限許容重量は、目標重量に対し排出を許容する最大重量を決める値であり、排出許容最大重量＝目標重量＋上限許容重量である。またここでは目標重量が排出許容最小重量である。速度は、排出される被計量物が１分間に包装機で包装される袋（パック）数である。分散フィーダ強度は分散フィーダ５１の振動振幅に対応する値であり、リニアフィーダ強度はリニアフィーダ５２の振動振幅に対応する値である。供給ホッパ開時間、計量ホッパ開時間は、それぞれのホッパのゲートの開動作を行った後、閉動作を開始するまでの全開状態を保持している時間である。これらの設定項目はほんの一例を示したものであり、実際は数十個あるいは百個以上の多数の設定項目がある。
【００４６】
図３は、動作条件設定項目の値を設定するための動作条件設定画面の一例を示す図である。
【００４７】
情報処理装置１Ａは、ログイン機能を有し、例えば、情報処理装置１Ａの電源を投入すると、はじめに、表示部２の画面に、ユーザー名及びパスワードを入力する一般的なログイン画面が表示される。ログイン画面にユーザー名及びパスワードを入力すると、ＣＰＵ部５は、入力されたユーザー名及びパスワードと、記憶部６に予め記憶されているユーザー名及びパスワードとを照合し、一致すれば表示部２の画面に、メニュー画面（図示せず）を表示させる。このメニュー画面には、例えば、「動作条件設定」のタッチキースイッチ、「生産履歴」のタッチキースイッチ、「運転開始」のタッチキースイッチなどが表示される。
【００４８】
メニュー画面の「生産履歴」のタッチキースイッチにタッチすると、例えば図５の生産履歴呼び出し画面Ｐ１が表示される。また、「動作条件設定」のタッチキースイッチにタッチすると、動作条件を設定するために用いられる動作条件設定画面が表示される。この動作条件設定画面上で、品種番号や目標重量などの複数の設定項目の値を設定することができる。また、「運転開始」のタッチキースイッチをタッチすると、計量機器の運転（動作）が開始される。
【００４９】
図３の動作条件設定画面３０は、例えば、前述のメニュー画面から呼び出される。メニュー画面の「動作条件設定」のタッチキースイッチにタッチすると、第１の動作条件設定画面として例えば被計量物の品種ごとに付与された品種番号を選択する品種選択画面（図示せず）が表示され、所望の品種番号を選択すると（例えば、それぞれの品種番号が表示されているタッチキースイッチにタッチすると）、第２の動作条件設定画面として例えば図３の動作条件設定画面３０が表示される。この図３の動作条件設定画面３０は、品種番号１が選択された場合の動作条件設定画面の一例である。
【００５０】
図３の動作条件設定画面３０では、各設定項目名が表示され、各設定項目名の右側には、その設定項目の値（現在設定されている値、運転開始前には予め決められている初期設定値）を表示する設定値表示領域が設けられている。またそれぞれの設定値表示領域はタッチキースイッチ３１となっており、タッチキースイッチ３１をタッチすると、テンキーのダイアログボックスが表示され、そのテンキーをタッチして設定項目の値を入力及び変更することができる。設定項目の値を入力及び変更した後、「決定」のタッチキースイッチ３４をタッチすると、ＣＰＵ部５は、そのタッチしたときに設定値表示領域に表示されている設定項目の値を動作条件として設定する。この設定される動作条件設定項目の値は記憶部６に記憶される。図３において、タッチキースイッチ３２，３３をタッチすると画面を上下にスクロールできる。また、「戻る」のタッチキースイッチ３５をタッチすると、動作条件設定画面３０を呼び出した表示画面、ここでは、品種選択画面に戻る。
【００５１】
図４は、本実施の形態の情報処理装置１Ａの記憶部６の不揮発性メモリに記憶される生産履歴データの一例を示す概念図である。
【００５２】
この生産履歴データは、生産記録情報が履歴として順次記録されたものであり、（Ａ１），（Ａ２），・・・，（Ａｎ）はそれぞれ生産記録情報である。各生産記録情報は、品種番号と、品種名と、集計開始年月日・時刻・曜日と、集計終了年月日・時刻・曜日と、シフト番号と、計量回数と、計量値（前述の組合せ計量値）の総加算値である総重量と、計量値の最大値と、計量値の最小値と、計量値の標準偏差とで構成される。品種番号及び品種名が品種情報であり、集計開始年月日・時刻・曜日と、集計終了年月日・時刻・曜日とが記録集計期間特定情報であり、集計開始から集計終了までの間が記録集計期間である。また、総重量が記録計量情報である。すなわち、記録集計期間内に計量されて求められた個別計量情報（組合せ計量値）の集計が記録計量情報（図４における総重量）である。なお、品種番号及び品種名は、被計量物の種類と目標重量とに応じて付与している。言い換えれば、本実施の形態における品種は、被計量物の種類と目標重量とによって分類されている。
【００５３】
情報処理装置１Ａでは、記録計量情報と記録集計期間特定情報とを含む生産記録情報を、例えば所定時間ごとに作成し、生産履歴として記憶する。例えば、所定時間を１時間とすると、１時間毎に生産記録情報を作成して記憶する。ここで、８時からの１時間、９時からの１時間というように、１日を２４に等分割してなる時間を、それぞれ記録集計期間とすることができる。なお、計量機器の運転開始時を含む記録集計期間（例えば、８時１５分に運転を開始した場合の８時１５分から９時まで）や、運転終了時を含む記録集計期間（例えば、１６時５０分に運転を終了した場合の１６時から１６時５０分）においては、１時間に満たなくても生産記録情報を作成して記憶する。また、上記は同一品種が連続している場合であって、品種が変更された場合、例えば品種番号１から品種番号２に変更された場合には、品種番号１の生産（計量）終了時に１時間に満たなくても品種番号１に関する生産記録情報を作成して記憶する。そして、次に品種番号２に関する生産記録情報を作成して記憶する。また、図４のようにシフト番号も記録する場合にはシフト番号が変更された場合にも、その変更前のシフト番号に関する生産記録情報を作成して記憶する。すなわち、生産記録情報は、品種ごとに、かつ、シフト番号ごとに、かつ、所定時間ごとに作成して記憶する。なお、シフト番号を記録しないように構成した場合には、生産記録情報は、品種ごとに、かつ所定時間ごとに作成して記憶する。
【００５４】
ＣＰＵ部５は、上述のように生産記録情報を作成し、この作成した生産記録情報を記憶部６内の生産履歴データ記憶領域に記憶する。例えば、記憶部６の不揮発性メモリには、順次作成される各生産記録情報を記憶する生産履歴データ記憶領域を有し、生産履歴データ記憶領域に新たに作成された生産記録情報が追加記憶される。例えば、ここでは、生産履歴データ記憶領域の開始アドレスから所定のデータ間隔値（ｍ）をもって生産記録情報が作成されるたびに順次記憶される。例えば、最初に作成された生産記録情報は、その先頭アドレスを上記開始アドレスとして記憶され、それ以降に作成される生産記録情報は、その先頭アドレスをその直前に作成された生産記録情報の先頭アドレスにデータ間隔値（ｍ）を加算したアドレスとして記憶される。また、生産記録情報が作成されるたびに、その作成された生産記録情報が記憶されている生産履歴データ記憶領域の最終アドレスが更新される。この最終アドレスは、例えばＣＰＵ部５内のレジスタに保持され、前述の更新がなされる。
【００５５】
図４の生産記録情報（Ａ１）〜（Ａｎ）には、品種情報として品種番号と品種名の両方が記憶されているが、品種番号と品種名とは１対１に対応しているので、いずれか一方のみでもよい。また、ここでの品種は、例えば商品の種類であり、同じ種類の被計量物でも重量が異なれば異なる品種として分類されている。
【００５６】
また、集計開始年月日・時刻・曜日は、（Ａ１）〜（Ａｎ）の各生産記録情報を作成するために集計される最初の計量情報が得られた時点を示す情報であり、集計終了年月日・時刻・曜日は、（Ａ１）〜（Ａｎ）の各生産記録情報を作成するために集計される最後の計量情報が得られた時点を示す情報である。
【００５７】
また、シフト番号とは、操作者が交代勤務を行う場合の勤務時間帯に対応して付された番号であり、例えば、８時から１６時までの勤務時間帯のシフト番号を１、１６時から２４時までの勤務時間帯のシフト番号を２、０時から８時までの勤務時間帯のシフト番号を３として予め定めている。
【００５８】
情報処理装置１Ａでは、個々の生産記録情報を作成するとき、品種情報については、例えば計量機器の動作条件を設定する際に操作者の操作によって入力部２から入力され、変更があるまで同じ情報が記憶部６に記憶されており、その情報を用いる。また、集計開始及び集計終了の年月日・時刻・曜日の情報については、ＣＰＵ部５が時計部４から取得する。また、シフト番号については、時計部４から取得する時刻情報に基づいてＣＰＵ部５によって決められる。
【００５９】
また、計量情報として、計量回数と、計量値の総加算値である総重量と、計量値の最大値および最小値と、標準偏差とが記憶されているが、計量値の平均値や計量速度も記憶するようにしてもよい。上記の計量回数、総重量、最大値、最小値および標準偏差は、集計期間（集計開始時刻から集計終了時刻までの期間）内でのそれである。計量値の平均値は総重量を計量回数で割り算することで得られ、計量速度は計量回数を集計時間（集計開始時刻から集計終了時刻までの時間）で割り算することで得られるので、ここではメモリ節約のため記憶していない。
【００６０】
図５は、生産履歴を表示するための生産履歴呼び出し画面の一例を示す図である。
【００６１】
前述のように、例えばメニュー画面の「生産履歴」のタッチキースイッチにタッチすると、例えば図５の生産履歴呼び出し画面Ｐ１が表示される。
【００６２】
この図５の生産履歴呼び出し画面Ｐ１の例では、表示したい生産履歴についての、品種番号、シフト番号、年、月、日、時間帯（例えば、８時〜１６時）、曜日、期間の各項目を設定するための設定内容表示領域が設けられている。またそれぞれの設定内容表示領域はタッチキースイッチ１２〜１９となっており、それぞれのタッチキースイッチをタッチすると、所望の数字あるいは文字を入力するためのダイアログボックスが表示され、所望の数字あるいは文字を入力することができる。その後、「決定」のタッチキースイッチ２０をタッチすると、ＣＰＵ部５は、そのタッチしたときに設定内容表示領域（タッチキースイッチ１２〜１９）に表示されている内容を生産履歴呼び出し条件として設定する。図５において、「戻る」のタッチキースイッチ２５をタッチすると、生産履歴呼び出し画面Ｐ１を呼び出した表示画面、ここでは、メニュー画面に戻る。
【００６３】
図６、図７は、生産履歴呼び出し画面を用いて生産履歴呼び出し条件が設定された後の情報処理装置１Ａの動作の一例を示すフローチャートであり、この動作によって表示部２に生産履歴表示画面が表示される。なお、この図６、図７では、生産履歴呼び出し条件の項目に、図５の「曜日」及び「期間」の項目がない場合の一例を示している。また、図８〜図１１は、それぞれ、生産履歴表示画面の一例を示す図である。
【００６４】
図８に示す生産履歴表示画面Ｐ２は、例えば図５の生産履歴呼び出し画面Ｐ１において、品種番号として１が、年として２００７（年）がそれぞれ設定され、他の項目についてはその値等が設定されていない場合に表示される生産履歴表示画面の一例を示している。この場合、品種番号１についての２００７年の生産履歴が月別に表示されている。ここでは、各月の生産量（総重量）が棒グラフで示されている。なお、１２月の棒グラフが白抜き表示されているのは、現在１２月であって、１２月の生産が未だ終了していないことを示している。「印字」のタッチキースイッチ２２をタッチすると、表示されている生産履歴を印字装置９により印字出力することができる。「戻る」のタッチキースイッチ２５をタッチすると、生産履歴表示画面Ｐ２を呼び出した表示画面、例えば図５の生産履歴呼び出し画面Ｐ１に戻る。
【００６５】
また、図９に示す生産履歴表示画面Ｐ３は、例えば図５の生産履歴呼び出し画面Ｐ１において、品種番号として１が、年として２００７（年）が、月として１１（月）がそれぞれ設定され、他の項目についてはその値等が設定されていない場合に表示される生産履歴表示画面の一例を示している。この場合、品種番号１についての２００７年１１月の生産履歴がカレンダー形式で日別に表示されている。ここでは、各日について１日における計量回数、生産量（総重量）、計量値の最大値、最小値、標準偏差が示されている。タッチキースイッチ２３，２４をタッチすると画面を上下にスクロールできる。「印字」のタッチキースイッチ２２をタッチすると、表示可能な生産履歴（ここでは、品種番号１についての２００７年１１月の生産履歴）を印字装置９により印字出力することができる。「戻る」のタッチキースイッチ２５をタッチすると、生産履歴表示画面Ｐ３を呼び出した表示画面、例えば図５の生産履歴呼び出し画面Ｐ１に戻る。
【００６６】
また、図１０に示す生産履歴表示画面Ｐ４は、例えば図５の生産履歴呼び出し画面Ｐ１において、品種番号として１が、年として２００７（年）が、月として１１（月）が、日として５（日）がそれぞれ設定され、他の項目についてはその値等が設定されていない場合に表示される生産履歴表示画面の一例を示している。この場合、品種番号１についての２００７年１１月５日の生産履歴が時間別（１時間ごと）に表示されている。ここでは、１時間ごとの生産量（総重量）が棒グラフで示されている。各棒グラフの上端には生産量が数字で表示され、さらにその上に計量回数がかっこ書きで表示されている。なお、１５時から１６時の棒グラフが白抜き表示されているのは、その時間帯の生産が未だ終了していないことを示している（現在時刻が１５時５５分である）。タッチキースイッチ２２，２５は図８のものと同様の機能を有する。
【００６７】
また、図１１に示す生産履歴表示画面Ｐ５は、例えば図５の生産履歴呼び出し画面Ｐ１において、品種番号として１が、シフト番号として１が、年として２００７（年）が、月として１１（月）がそれぞれ設定され、他の項目についてはその値等が設定されていない場合に表示される生産履歴表示画面の一例を示している。この場合、品種番号１についての２００７年１１月のシフト番号１の時間帯（８時から１６時直前）における生産履歴が表形式で日別に表示されている。タッチキースイッチ２２〜２５は図９のものと同様の機能を有する。
【００６８】
次に図６、図７のフローチャートに基づいて、情報処理装置１Ａの動作を説明する。この動作は、ＣＰＵ部５の処理によって実現される。
【００６９】
例えば、図５の生産履歴呼び出し画面Ｐ１（ただし、ここでは、「曜日」及び「期間」の項目がないものとする）において、「決定」のタッチキースイッチ２０をタッチすると、ＣＰＵ部５は、そのタッチしたときに設定内容表示領域（タッチキースイッチ１２〜１７）に表示されている内容を生産履歴呼び出し条件として設定した後、ステップＳ１以降の処理を実行する。
【００７０】
ステップＳ１において、生産履歴呼び出し条件として品種番号の設定が有るか否かを判定し、設定が無ければエラー表示する（ステップＳ５１）。このエラー表示は、例えば、「品種番号が設定されていません」という文字を画面に表示する。
【００７１】
次にステップＳ２において、生産履歴呼び出し条件として年の設定が有るか否かを判定し、設定が無ければエラー表示する（ステップＳ５２）。このエラー表示は、例えば、「年が設定されていません」という文字を画面に表示する。
【００７２】
生産履歴呼び出し条件として品種番号及び年が設定されていれば、ステップＳ３へ進み、月の設定が有るか否かを判定し、設定が無ければ月別表示フラグをＯＮ（セット）する（ステップＳ４）。
【００７３】
ステップＳ３において生産履歴呼び出し条件として月が設定されていれば、ステップＳ５へ進み、日の設定が有るか否かを判定し、設定が無ければ日別表示フラグをＯＮ（セット）する（ステップＳ６）。
【００７４】
ステップＳ５において生産履歴呼び出し条件として日が設定されていれば、ステップＳ７へ進み、時間帯の設定が有るか否かを判定し、設定が無ければ時間別表示フラグをＯＮ（セット）する（ステップＳ８）。
【００７５】
ステップＳ７において生産履歴呼び出し条件として時間帯が設定されていれば、指定時間帯表示フラグをＯＮ（セット）する（ステップＳ９）。
【００７６】
ステップＳ４，Ｓ６，Ｓ８，Ｓ９の次のステップＳ１０では、読み出しアドレスを生産履歴データ記憶領域の開始アドレスにセットする。
【００７７】
次に、ステップＳ１１では、セットされた読み出しアドレスを先頭アドレスとする生産記録情報を読み出す。この読み出した生産記録情報を、以下、読み出し生産情報と言う。
【００７８】
次に、ステップＳ１２では、読み出し生産情報の品種番号と生産履歴呼び出し条件として設定された品種番号とが一致しているか否かを判定し、一致していればステップＳ１３へ進み、一致していなければステップＳ４１へ進む。
【００７９】
次に、ステップＳ１３では、読み出し生産情報の年と生産履歴呼び出し条件として設定された年とが一致しているか否かを判定し、一致していればステップＳ１４へ進み、一致していなければステップＳ４１へ進む。
【００８０】
次に、ステップＳ１４では、月別表示フラグがＯＮしているか否かを判定し、ＯＮしていればステップＳ１５へ進み、ＯＮしていなければステップＳ１６へ進む。
【００８１】
次に、ステップＳ１５では、生産履歴呼び出し条件としてシフト番号が設定されている場合に、読み出し生産情報のシフト番号と生産履歴呼び出し条件として設定されたシフト番号とが一致しているか否かを判定し、一致していればステップＳ１６へ進み、一致していなければステップＳ４１へ進む。なお、生産履歴呼び出し条件としてシフト番号が設定されていない場合には、一致しているとみなして、ステップＳ１６へ進む。
【００８２】
ステップＳ１６では、読み出し生産情報を生産履歴呼び出し条件に合致したデータとして集計する。ここでは、ステップＳ１１からステップＳ４１、Ｓ４２を介して繰り返される処理において逐次読み出され、生産履歴呼び出し条件に合致した読み出し生産情報を対象にし、読み出し生産情報に含まれる集計開始及び集計終了の月に基づいて月別に計量情報の集計を行う。例えば、月別に、総重量（これは、読み出し生産情報の総重量の合計）等を求める。
【００８３】
ステップＳ２１では、日別表示フラグがＯＮしているか否かを判定し、ＯＮしていればステップＳ２５へ進み、ＯＮしていなければステップＳ２２へ進む。
【００８４】
次に、ステップＳ２２では、読み出し生産情報の月と生産履歴呼び出し条件として設定された月とが一致しているか否かを判定し、一致していればステップＳ２３へ進み、一致していなければステップＳ４１へ進む。
【００８５】
次に、ステップＳ２３では、生産履歴呼び出し条件としてシフト番号が設定されている場合に、読み出し生産情報のシフト番号と生産履歴呼び出し条件として設定されたシフト番号とが一致しているか否かを判定し、一致していればステップＳ２４へ進み、一致していなければステップＳ４１へ進む。なお、生産履歴呼び出し条件としてシフト番号が設定されていない場合には、一致しているとみなして、ステップＳ２４へ進む。
【００８６】
ステップＳ２４では、読み出し生産情報を生産履歴呼び出し条件に合致したデータとして集計する。ここでは、ステップＳ１１からステップＳ４１、Ｓ４２を介して繰り返される処理において逐次読み出され、生産履歴呼び出し条件に合致した読み出し生産情報を対象にし、読み出し生産情報に含まれる集計開始及び集計終了の日に基づいて日別に計量情報の集計を行う。例えば、日別に、計量回数及び総重量（これは、読み出し生産情報の総重量の合計）等を求める。
【００８７】
ステップＳ２５では、時間別表示フラグがＯＮしているか否かを判定し、ＯＮしていればステップＳ２６へ進み、ＯＮしていなければステップＳ２９へ進む。
【００８８】
次に、ステップＳ２６では、読み出し生産情報の月及び日と生産履歴呼び出し条件として設定された月及び日とが一致しているか否かを判定し、一致していればステップＳ２７へ進み、一致していなければステップＳ４１へ進む。
【００８９】
次に、ステップＳ２７では、生産履歴呼び出し条件としてシフト番号が設定されている場合に、読み出し生産情報のシフト番号と生産履歴呼び出し条件として設定されたシフト番号とが一致しているか否かを判定し、一致していればステップＳ２８へ進み、一致していなければステップＳ４１へ進む。なお、生産履歴呼び出し条件としてシフト番号が設定されていない場合には、一致しているとみなして、ステップＳ２８へ進む。
【００９０】
ステップＳ２８では、読み出し生産情報を生産履歴呼び出し条件に合致したデータとして集計する。ここでは、ステップＳ１１からステップＳ４１、Ｓ４２を介して繰り返される処理において逐次読み出され、生産履歴呼び出し条件に合致した読み出し生産情報を対象にし、読み出し生産情報に含まれる集計開始及び集計終了の時刻に基づいて時間別に計量情報の集計を行う。例えば、時間別に、計量回数及び総重量（これは、読み出し生産情報の総重量の合計）等を求める。
【００９１】
ステップＳ２５において時間別表示フラグがＯＮしていない場合、指定時間帯表示フラグがＯＮしており、ステップＳ２９へ進む。
【００９２】
ステップＳ２９では、読み出し生産情報の月及び日と生産履歴呼び出し条件として設定された月及び日とが一致しているか否かを判定し、一致していればステップＳ３０へ進み、一致していなければステップＳ４１へ進む。
【００９３】
次に、ステップＳ３０では、読み出し生産情報の集計開始時刻及び集計終了時刻が生産履歴呼び出し条件として設定された時間帯に含まれるか否かを判定し、含まれる場合にはステップＳ３１へ進み、含まれない場合にはステップＳ４１へ進む。
【００９４】
ステップＳ３１では、読み出し生産情報を生産履歴呼び出し条件に合致したデータとして集計する。ここでは、ステップＳ１１からステップＳ４１、Ｓ４２を介して繰り返される処理において逐次読み出され、生産履歴呼び出し条件に合致した読み出し生産情報を対象にし、読み出し生産情報に含まれる集計開始及び集計終了の時刻に基づいて時間別に計量情報の集計を行う。例えば、時間別に、計量回数及び総重量（これは、読み出し生産情報の総重量の合計）等を求める。
【００９５】
ステップＳ４１では、読み出しアドレスを、次の読み出しアドレスすなわち現在の読み出しアドレスに所定のデータ間隔値（ｍ）を加えたアドレスにセットする。このアドレスは、次に読み出される生産記録情報が存在する場合はその先頭アドレスである。
【００９６】
ステップＳ４２では、ステップＳ４１でセットされた読み出しアドレスが最終アドレスを超えているか否かを判定し、超えていなければステップＳ１１へ戻り、超えていればステップＳ４３へ進む。ここで、読み出しアドレスが最終アドレスを超えていれば、生産履歴データ記憶領域に記憶されている全ての生産記録情報を対象にしてステップＳ１１以降、ステップＳ４１より前の処理が行われたことになる。
【００９７】
そして、ステップＳ４３では、集計されたデータを所定の表示形式によって表示部２の画面に表示させる。
【００９８】
例えば、生産履歴呼び出し条件として、品種番号と年のみが設定されている場合には、ステップＳ１６において集計され、例えば図８のように月別の生産量を示した生産履歴表示画面が表示される。さらに、生産履歴呼び出し条件としてシフト番号が設定されている場合には、設定されているシフト番号と一致するデータが集計され、例えば図８と同様に月別の生産量を示した生産履歴表示画面が表示される。この画面中に、設定したシフト番号も表示させるようにしてもよい。
【００９９】
また、生産履歴呼び出し条件として、品種番号と年と月のみが設定されている場合には、ステップＳ２４において集計され、例えば図９のように日別の生産量を示した生産履歴表示画面が表示される。さらに、生産履歴呼び出し条件としてシフト番号が設定されている場合には、設定されているシフト番号と一致するデータが集計され、例えば図９と同様に日別の生産量を示した生産履歴表示画面が表示される。この画面中に、設定したシフト番号も表示させるようにしてもよい。この場合の生産履歴表示画面の一例が図１１に示されている。
【０１００】
また、生産履歴呼び出し条件として、品種番号と年と月と日のみが設定されている場合には、ステップＳ２８において集計され、例えば図１０のように時間別の生産量を示した生産履歴表示画面が表示される。さらに、生産履歴呼び出し条件としてシフト番号が設定されている場合には、設定されているシフト番号と一致するデータが集計され、例えば図１０と同様に時間別の生産量を示した生産履歴表示画面が表示される。この画面中に、設定したシフト番号も表示させるようにしてもよい。例えば、シフト番号として１が設定され、１のシフト番号が８時から１６時までの勤務時間帯を示すものであれば、図１０と同様、８時から１６時直前までの時間別の生産量を示した画面が表示される。
【０１０１】
また、生産履歴呼び出し条件として、品種番号と年と月と日と時間帯のみが設定されている場合には、ステップＳ３１において集計され、設定された時間帯において例えば図１０と同様に時間別の生産量を示した生産履歴表示画面が表示される。
【０１０２】
なお、上記例では、時間帯が設定される場合には、年と月と日とがともに設定されるものとしたが、これに限られない。例えば、時間帯をシフト番号と同様に設定できるものとしてもよい。例えば、生産履歴呼び出し条件として、品種番号と年と時間帯のみが設定されている場合には、図８と同様に月別の生産量（但し、設定された時間帯について集計された生産量）を示した生産履歴表示画面を表示するようにしてもよい。また、生産履歴呼び出し条件として、品種番号と年と月と時間帯のみが設定されている場合には、図９と同様に日別の生産量（但し、設定された時間帯について集計された生産量）を示した生産履歴表示画面を表示するようにしてもよい。
【０１０３】
また、上記例では、生産履歴呼び出し条件に、「曜日」が設定されない場合について説明したが、設定されるようにしてもよい。例えば、生産履歴呼び出し条件として、品種番号と年と曜日のみが設定されている場合に、図８と同様に月別の生産量（但し、設定された曜日について集計された生産量）を示した生産履歴表示画面を表示するようにしてもよい。ここで、複数の曜日を設定できるようにしてもよい。
【０１０４】
また、生産履歴呼び出し条件に、「期間」が設定されない場合について説明したが、設定されるようにしてもよい。例えば、「期間」として、２００７年４月〜２００８年３月というように月単位で設定するようにしてもよいし、２００８年３月２１日〜２００８年４月３０日というように日単位で設定するようにしてもよい。月単位で設定した場合には、例えば図８と同様に月別の生産量を表示するようにし、日単位で設定した場合には、例えば図９と同様に日別の生産量を表示するようにすればよい。なお、「期間」を設定する場合には、「年」、「月」、「日」を設定しないようにする。
【０１０５】
このように、「年」、「月」、「日」を設定しないで、「期間」を設定する場合においても、「シフト番号」、「時間帯」あるいは「曜日」を同時に設定するようにしてもよい。
【０１０６】
本実施の形態では、計量機器本体部１Ｂの制御装置であり、動作条件を設定するために用いる情報処理装置１Ａにおいて、生産記録情報を生産履歴データとして記憶しておき、所望の生産履歴呼び出し条件を設定することにより、所望する生産履歴、すなわち、どの品種をいつどれだけ生産（計量）したかなどの生産履歴を表示させることができるので、計量機器の設置場所においてその計量機器による生産履歴を確認することができる。
【０１０７】
また、通常、シフト番号の時間帯に対応して計量機器の操作者が交代するような勤務形態であり、このようにシフト番号と計量機器の操作者とが対応している場合には、生産履歴呼び出し条件にシフト番号を設定することにより、表示される生産履歴を操作者の能力査定の目安にすることができる。
【０１０８】
なお、操作者を特定するための情報である操作者情報を生産記録情報に含めて記憶しておき、操作者情報を生産履歴呼び出し条件の１つとしてもよい。この場合も、生産履歴呼び出し条件に操作者情報を設定することにより、表示される生産履歴を操作者の能力査定の目安にすることができる。操作者情報については、例えば、ログイン処理のときに取得するようにすればよい。また、操作者情報については、１日のうちの最初の操作者や、交代するときの次の操作者が入力部２を操作して表示部２にパスワード入力画面を表示させ、操作者が個々に予め与えられたパスワードを入力するようにしてもよい。この場合、パスワード入力により、ＣＰＵ部５は、操作者情報を取得することができ、例えば、１日のうちに、操作者が変わる場合に有効である。前述のログイン処理により操作者情報を取得する場合には、１日のうちに操作者の変更がない場合に有効である。
【０１０９】
図８〜図１１は一例であって、図４に示すような生産履歴データに基づき、他の生産履歴表示画面を表示するようにしてもよい。また、総重量を計量回数で割り算した値である平均重量値を算出して表示するようにしてもよいし、計量回数を計量時間で割り算した値である計量速度を算出して表示するようにしてもよい。
【０１１０】
また、情報処理装置１Ａは、表示部２で表示される図８〜図１１のような生産履歴表示画面の表示データを印字装置９へ出力して印字することも可能である。
【０１１１】
また、情報処理装置１Ａは、図４に示すような生産履歴データをパソコン等の外部装置１１へ出力することができる。この場合、情報処理装置１Ａが生産履歴データに基づいて生産履歴表示画面を表示する機能と同等の機能を外部装置１１に持たせることにより、外部装置１１において同様の生産履歴表示画面を表示することができる。
【０１１２】
なお、上記実施の形態では、計量機器の一例として組合せ秤を挙げたが、これに限らず、重量式選別機等の他の計量機器であってもよい。
【産業上の利用可能性】
【０１１３】
本発明は、繰り返し計量が行われる組合せ秤や重量式選別機等の計量機器に用いられる計量機器用情報処理装置等に有用である。
【図面の簡単な説明】
【０１１４】
【図１】本発明の実施の形態の計量機器用情報処理装置の構成を示すブロック図である。
【図２】本発明の実施の形態における計量機器の一例である組合せ秤を示す図である。
【図３】本発明の実施の形態における動作条件設定画面の一例を示す図である。
【図４】本発明の実施の形態の計量機器用情報処理装置に記憶される生産履歴データの一例を示す概念図である。
【図５】本発明の実施の形態における生産履歴呼び出し画面の一例を示す図である。
【図６】本発明の実施の形態の計量機器用情報処理装置の動作の一例を示すフローチャートである。
【図７】本発明の実施の形態の計量機器用情報処理装置の動作の一例を示すフローチャートである。
【図８】本発明の実施の形態における生産履歴表示画面の一例を示す図である。
【図９】本発明の実施の形態における生産履歴表示画面の一例を示す図である。
【図１０】本発明の実施の形態における生産履歴表示画面の一例を示す図である。
【図１１】本発明の実施の形態における生産履歴表示画面の一例を示す図である。
【符号の説明】
【０１１５】
１Ａ  情報処理装置
１Ｂ  計量機器本体部
２  表示部
３  入力部
４  時計部
５  ＣＰＵ部
６  記憶部
７  インターフェイス部
８  Ｉ／Ｏ回路部
９  印字装置
１０  通信回路部
１１  外部装置
【図１】
2010043974.tif 000003
【図２】
2010043974.tif 000004
【図３】
2010043974.tif 000005
【図４】
2010043974.tif 000006
【図５】
2010043974.tif 000007
【図６】
2010043974.tif 000008
【図７】
2010043974.tif 000009
【図８】
2010043974.tif 000010
【図９】
2010043974.tif 000011
【図１０】
2010043974.tif 000012
【図１１】
2010043974.tif 000013